(57)【要約】      （修正有）【課題】数日間、留守可能なペット用給餌器の提供。【解決手段】タイマーに一つに「１４プログラムの設定機能」をもち、また「１秒刻みのＯＮＯＦＦが可能」とし、一食目、二食目と分けて食べさせることとした。そのために給餌のための扉に設けた電磁石をＯＮＯＦＦさせる。【選択図】図１
2013059309.tif 000002
【特許請求の範囲】
【請求項１】
（大型犬対応、及び、２食給餌システム）
それらを可能としたのは、図１に見る扉（３）のアップダウン開閉システムで、梃子力学応用（図１の２−Ｔ−Ｊ−３）と「電磁石」「永久磁石」のペアで成り立っている。
その給餌器には、扉の開放で食できる一食目と、餌箱を引出すことで食べ得る２食目とが備わる。
ペットが大型の場合、扉の頑丈さが要求されるが、図１４は、１図の給餌器を一食用にしたものである。
一食用で事足りるケースでは、図３に見る装置の中で必要とするのは、タイマー、エミリネーター（３０−３１−３２）、エクセルギー（２−Ｔ−Ｊ−３））と、永久磁石（図１のｃＳ）の４点しかなく、台座も必要なしの家庭であれば、余りの低コストに驚かされる。
また扉には、絵を描くなどにより、楽しめることや、付加価値を高めることが出来る。
永久磁石は、扉の開閉の両方共に欠かせず、損壊対策に「１８−８ステンレス」や「ラバーゴム」等にて二重に囲み込み保護する。
マグネットの吸着力は、市販の１５Ｋｇ前後のもので間に合う。
エミリネーターと電磁石は一箇所に収納（図１４の８３）可能で、このポイントに受ける衝撃に対しても、鉄壁に備えておく。
【請求項２】
（扉方式の利点２）
２食給餌を可能にしたには、現在のタイマーが、１つに「１４プログラムの設定機能」をもち、２に「１秒刻みのＯＮＯＦＦが可能」なことがある。
だが、その機能だけでは、一食目と２食目を２回に分けて食べさせることは出来ない。
そこで２食を同時に食させないシステムの発明が欠かせない。
この難題は、タイマー機能２と扉方式のペアで解決した。
タイマーＯＮによりＡ１Ａ２は、鉄の塊から磁石になるが、永久磁石はＯＦＦの時には吸着し、扉を閉じる役目をしていた。
タイマーＯＮで、Ｐ（同極反発）が起こり、扉が開放されてペットが駆け寄って来る。
このときＡ１Ａ２に通電した侭とすると、２食目も引き出し食べること可能である。
だが、このアップダウン開閉式の扉であれば、瞬時に開くことで、一秒もせずＰは無用である。
そのことから、タイマーＯＮからＯＦＦの間を一秒にセットすることで、２食目を食することは不可能となる。
【請求項３】
（ペンダントＱ）
Ｑ（強磁生体）の役目の一つは、引出し式餌箱の引っ張り出しを、ペットになさせるための道具である。
もう一つは、人間社会における本人確認のカードで、餌盗り対策である。
Ｑを吸着するのは、図１に見るＡ１Ａ２の釣り針型電磁石である。
ＳＮ両極を、上部と前面２箇所に配置する訳にはペットの首の長さ等の相違への配慮がある。
Ｑが、吸着すると、ペットは異変に驚きバックする。
その動作の応用であるが、Ａ１Ａ２の配置スポットは、図５のＶに侵入する際のＱの予想通過点である。
そのスポットを的確にするには、予想通過点を狭める方策が必要である。
Ｖの間口（侵入口）が、ペットの頭や首のサイズと掛け離れていれば、通過点を逸れかねず、それにはＶのサイズをペットと合わせておくことが欠かせない。
ペットが小さい内は、それをしておく事で、より大きな餌盗りの侵入防止にもなる。
ペットが、成長過程にある家庭では、Ｖが大きな引き戸を数用意しておくが、図１の９は、その引き戸の取替え口である。
（２食目を確実に食させる方策）
２食目の給餌時間がやって来ても、このとき一食目の餌皿は空になっている。
音声テープで、Ｖから呼びかけたにしても、首を突っ込むとは限らない。
より確実な方策が、２食目の餌の臭気をＶから外に流すことで、その装置が、図１の１１の送風機である。
念を入れたのが同図１１の疑似餌である。
【請求項４】
（第二の餌盗り防止システム）
図５の４２の引き戸では、餌盗り防止にならないので、同図の４３のＶなし引き戸と取替えて、引出すシステムである。
引出す仕事をするのは、食するペット自身（図３−Ｍ１）である。
Ｍ１はＭ２（図５）を、銜え引っ張る。
図６は、Ｍ２をＰのショットで放出させる装置で、放出前の鎖は、切削等で凹みをつけた壁面に隠しておく。
大方が気になることは、この方策の信頼度であるが、もし口で引っ張り十分に引出せずとも、少し引き戸が開くだけで、餌の臭いが漂って来るので、空き腹のペットであれば、足や頭部を使って何が何でも押し開くこと本能で、少しでも練習させておくと心配無用。
それより心配は、引き戸の損壊である。
対策には、材質を軽くて硬い金属類とし、摩擦が起こる引き戸の角や底面に丸みをつけ、床面は滑り易く施工をしておく。
この装置を加えると、３個の磁石が必要であるが、それを低コストで作成したのが、図４である。
図５の４５は、落下の防ぎと、警報ブザー（図１の８）のスイッチをＯＮとする。、強烈な引っ張りに備えたもの。
【請求項５】
（延長コード処理システム）
餌箱の引出し式で避けて通れないのが、掃除機と同じくコードを延長させたり、巻き戻す装置が必要なことである。
給餌機器に、ゼンマイ等は不向きで、モーターは衝撃に難があり、コストもかかる。
難題を最善に解決させたのが、図３及び図１２に示すＹ１Ｘ１である。
垂れた部分の長さは餌箱の長さに比例する。
引出しと、引き戻しの際には、コードに多少無理が掛かるので、掃除機と同種のコードを用いる。
残る課題は、スムーズな送り出しであるが、シャトルを備えた送線ガイド（図３のＺ）を２箇所設けるだけで、スムーズに事を運びその様子は想像以上である。
（扉方式の利点３）
扉は人の手で閉めるが、閉めるときには、重り（２）とコードが一緒に上がって行き、閉めを終えたときには、コードは元の位置に引き戻っている。
これにも目を見張り、この扉方式しか成しえない業である。
（送電ストップ装置（図８）の必要性）
ペットが、餌を食べるとき、Ａ１Ａ２に通電した侭であれば、食する障害になるばかりか、強烈に引っ張る等して、餌箱を損壊させる危険がある。
図８が、スイッチを切る装置であるが、セット位置は餌箱のストップ位置と同位置で、切る仕組みは、餌箱の底に取り付けた永久磁石（ａ）が、スイッチボックス内部の強磁性体（５７）を吸着する。
すると５７と連結させた通電接触面（６０）が、上昇することでＯＦＦとなる。
【請求項６】
（引出し式餌箱、並列連結による給餌システム）
図９  図１０  図１１  図１２
このシステムによる給餌は、三食以上が可能で、その場合、横幅が長くなり場所をとるが、、餌箱の奥行を深くすることで、横幅は短縮することが出来る。
このシステムでは、ペット自身（図３のＦ１）で引き出すが、そのフットワークを誘うのは、疑似餌風のオブジェクト（図１１）である。
（オブジェクトに魚を選択した理由）
横に長く、二つの永久磁石を隠し、セットできること。
背びれ（Ｆ２）が、取っ手の代わりになり、フットワークを誘うにこれ以上の対象はないこと。
また、かわいいペットの器には、愉快さが似合っていること。
オブゼエクトの材質については、ジュラルミンなど考えられるが、ショット前のオブジェクトは、背面を半格納にしておくことで、背面の象りが可能な材質をも併せ持つ必要がある。
３食が、３匹用とすれば、並列するだけで完成となる。
一匹三食用となると、一食済ませる間に他のオブゼエクトは引っ込めておく必要がある。
それが不可能とすれば、一度に全部食べられ、餌盗りにも遭いかねない。
タイマーをＯＦＦにすることで、マグネットの吸着力が引っ込めに働くが、その力は空気抵抗にて、Ｐ力よりはかなり低下する。
ガウス数２６００Ｇ＝吸着力２０Ｋｇを用いた小生の実験の結果では、ショット先が餌箱表面（図９の７０）から３０ｍｍを超えていると、吸引力の低下は顕著となっている。
オブジェクトにフットワークさせる適度な距離は、Ｆのサイズによって異なるが、吸引力を補う必要があるケースでは、簡単な手段として、Ｐの装置を少し上向きに取り付け、更に滑り落ちる力を増すため、射出停止用球（図１０の６９）の重量を増しておく方法がある。
【請求項６】
（下りスロープ簡易システム）  図１３
餌盗りの心配のない家庭では、図１３のシステムで十分である。
また、ペットが複数の家庭向けには、その分だけ器を大きくすることでも対応可能だ。
尚、延長コード処理システムなど不要なことから、連結も容易である。
【発明の詳細な説明】
【技術分野】
【０００１】発明は、留守時ペット給餌器。
【背景技術】
【０００２】  この分野では現在、国内国外共に、当該発明と対比する給餌器は見聞きせず、対比する文献もない。
各家庭のニーズに応えた発明の商業的価値は無限大である。
【発明の表示】
図１  図３  図４  図５  図６  図９  図１１  図１２  図１３  図１４
【発明が解決しようとする課題】
【０００３】  給餌器の中でニーズが高い一つには、数日間留守可能なこと。
【０００４】  以上と同時に、「室外」「室内」両用可能な給餌器。
【０００５】  中型：大型ペット用の給餌器。
【０００６】  餌盗り排除機能を兼備した給餌器。
【０００７】「故障のリスクが少なく」、且つ、「値が張らない手軽な製品」。
【課題を解決するための手段】
【０００８】  電磁石、永久磁石それぞれの特性を最大限に生かす。
【０００９】  ハプニングが起きたとしても、素人でもメンテナンスが可能なシステム。
【００１０】  奇抜なアイデアの結集。
【発明の効果】
【００１１】  ペット愛好家のニーズを満たし、親しまれる機器を実現。
【発明を実施するための最良の形態】
【００１２】  「ニーズの実態」と［特許請求の範囲］の考察。
【図面の簡単な説明】
【００１３】
【図１】  本発明の実施形態を示す外観図
【図２】  一食目と２食目の餌箱の構造説明図
【図３】  図１の内部の説明用図
【図４】  使用電磁石の作成図
【図５】  ２種類ある引き戸の説明用図
【図６】  第二の餌盗り防止システム図
【図７】  車輪及び車輪ガイドの説明図
【図８】  スイッチ説明図
【図９】  オブジェクト、ショット装置
【図１０】  図９の補充説明図
【図１１】  オブジェクトショット後の説明図
【図１２】  給餌３食用の図
【図１３】  下りスロープ式給餌器
【図１４】  大型犬給餌器の概観図
【符号の説明】
【００１４】ローマ字    大文字「Ａ」「Ｂ」「Ｃ」「Ｄ」「Ｅ」＝電磁石
同        小文字「ａ」「ｂ」「ｃ」「ｄ」「ｅ」＝永久磁石
他のローマ字
Ｓ＝Ｓ極    Ｎ＝Ｎ極    Ｐ＝磁石同極反発ショット＊例  扉開閉＝ＣＳＰｃＳ
Ｑ＝強磁性体ペンダント＝ペット認識カード＝ＱＡ１Ａ２
Ｆ１＝フットワーク  Ｆ２＝フットワークを誘う取っ手の類
Ｍ１＝ペットの口と噛み歯    Ｍ２＝Ｍ１を誘うオブジェクト
Ｙ＝直流＋側から延びた配線コード    Ｘ＝直流−側から延びた配線コード
Ｗ＝ＹとＸをドッキング（２芯化）させたＢＯＸ、尚、２芯コードが落下しないよう施している。
Ｚ＝コードが餌箱と一緒に引出されるか、引き戻される時のコードガイド装置
Ｖ＝引き戸の侵入口、また、侵入口の下辺を表している。
【図１】
2013059309.tif 000003
【図２】
2013059309.tif 000004
【図３】
2013059309.tif 000005
【図４】
2013059309.tif 000006
【図５】
2013059309.tif 000007
【図６】
2013059309.tif 000008
【図７】
2013059309.tif 000009
【図８】
2013059309.tif 000010
【図９】
2013059309.tif 000011
【図１０】
2013059309.tif 000012
【図１１】
2013059309.tif 000013
【図１２】
2013059309.tif 000014
【図１３】
2013059309.tif 000015
【図１４】
2013059309.tif 000016
【手続補正書】
【提出日】平成23年10月13日(2011.10.13)
【手続補正２】
【補正対象書類名】特許請求の範囲
【補正対象項目名】全文
【補正方法】変更
【補正の内容】
【特許請求の範囲】
【請求項１】
（大型犬対応、及び、２食給餌システム）
それらを可能としたのは、図１に見る扉（３）のアップダウン開閉システムで、梃子力学応用（図１の２−Ｔ−Ｊ−３）と「電磁石」「永久磁石」のペアで成り立っている。
その給餌器には、扉の開放で食できる一食目と、餌箱を引出すことで食べ得る２食目とが備わる。
ペットが大型の場合、扉の頑丈さが要求されるが、図１４は、１図の給餌器を一食用にしたものである。
一食用で事足りるケースでは、図３に見る装置の中で必要とするのは、タイマー、エミリネ−ター（３０−３１−３２）、エクセルギー（２−Ｔ−Ｊ−３））と、永久磁石（図１のｃＳ）の４点しかなく、台座も必要なしの家庭であれば、余りの低コストに驚かされる。
また扉には、絵を描くなどにより、楽しめることや、付加価値を高めることが出来る。
永久磁石は、扉の開閉の両方共に欠かせず、損壊対策に「１８−８ステンレス」や「ラバーゴム」等にて二重に囲み込み保護する。
マグネットの吸着力は、市販の１５Ｋｇ前後のもので間に合う。
エミリネ−ターと電磁石は一箇所に収納（図１４の８３）可能で、このポイントに受ける衝撃に対しても、鉄壁に備えておく。
【請求項２】
（扉方式の利点の２と、２食分割給餌の確実化）
２食給餌を可能にしたには、現在のタイマーが、１つに「１４プログラムの設定機能」をもち、２に「１秒刻みのＯＮＯＦＦが可能」なことがある。
だが、その機能だけでは、一食目と２食目を２回に分けて食べさせることは出来ない。
そこで２食を同時に食させないシステムの発明が欠かせない。
この難題は、タイマー機能２と扉方式のペアで解決した。
タイマーＯＮによりＡ１Ａ２は、鉄の塊から磁石になるが、永久磁石はＯＦＦの時には吸着し、扉を閉じる役目をしていた。
タイマーＯＮで、Ｐ（同極反発）が起こり、扉が開放されてペットが駆け寄って来る。
このときＡ１Ａ２に通電した侭とすると、２食目も引き出し食べること可能である。
だが、このアップダウン開閉式の扉であれば、瞬時に開くことで、一秒もせずＰは無用である。
そのことから、タイマーＯＮからＯＦＦの間を一秒にセットすることで、２食目を食することは不可能となる。
【請求項３】
（ペンダントＱ）
Ｑ（強磁生体）の役目の一つは、引出し式餌箱の引っ張り出しを、ペットになさせるための道具である。
もう一つは、人間社会における本人確認のカードで、餌盗り対策である。
Ｑを吸着するのは、図１に見るＡ１Ａ２の釣り針型電磁石である。
ＳＮ両極を、上部と前面２箇所に配置する訳にはペットの首の長さ等の相違への配慮がある。
Ｑが、吸着すると、ペットは異変に驚きバックする。
その動作の応用であるが、Ａ１Ａ２の配置スポットは、図５のＶに侵入する際のＱの予想通過点である。
そのスポットを的確にするには、予想通過点を狭める方策が必要である。
Ｖの間口（侵入口）が、ペットの頭や首のサイズと掛け離れていれば、通過点を逸れかねず、それにはＶのサイズをペットと合わせておくことが欠かせない。
ペットが小さい内は、それをしておく事で、より大きな餌盗りの侵入防止にもなる。
ペットが、成長過程にある家庭では、Ｖが大きな引き戸を数用意しておくが、図１の９は、その引き戸の取替え口である。
（２食目を確実に食させる方策）
２食目の給餌時間がやって来ても、このとき一食目の餌皿は空になっている。
音声テープで、Ｖから呼びかけたにしても、首を突っ込むとは限らない。
より確実な方策が、２食目の餌の臭気をＶから外に流すことで、その装置が、図１の１１の送風機である。
念を入れたのが同図１７の疑似餌である。
【請求項４】
（第二の餌盗り防止システム）
図５の４２の引き戸では、餌盗り防止にならないので、同図の４３のＶなし引き戸と取替えて、引出すシステムである。
引出す仕事をするのは、食するペット自身（図３−Ｍ１）である。
Ｍ１はＭ２（図５）を、銜え引っ張る。
図６は、Ｍ２をＰのショットで放出させる装置で、放出前の鎖は、切削等で凹みをつけた壁面に隠しておく。
大方が気になることは、この方策の信頼度であるが、もし口で引っ張り十分に引出せずとも、少し引き戸が開くだけで、餌の臭いが漂って来るので、空き腹のペットであれば、足や頭部を使って何が何でも押し開くこと本能で、少しでも練習させておくと心配無用。
それより心配は、引き戸の損壊である。
対策には、材質を軽くて硬い金属類とし、摩擦が起こる引き戸の角や底面に丸みをつけ、床面は滑り易く施工をしておく。
この装置を加えると、３個の磁石が必要であるが、それを低コストで作成したのが、図４である。
図５の４５は、落下の防ぎと、警報ブザー（図１の８）のスイッチをＯＮとする。
強烈な引っ張りに備えたもの。
【請求項５】
（延長コード処理システム）
餌箱の引出し式で避けて通れないのが、掃除機と同じくコードを延長させたり、巻き戻す装置が必要なことである。
給餌機器に、ゼンマイ等は不向きで、モーターは衝撃に難があり、コストもかかる。
難題を最善に解決させたのが、図３及び図１２に示すＹ１Ｘ１である。
垂れた部分の長さは餌箱の長さ（奥行）に比例する。
引出しと、引き戻しの際には、コードに多少無理が掛かるので、掃除機と同種のコードを用いる。
残る課題は、スムーズな送り出しであるが、シャトルを備えた送線ガイド（図３のＺ）を２箇所設けるだけで、スムーズに事を運びその様子は想像以上である。
（扉方式の利点３）
扉は人の手で閉めるが、閉めるときには、重り（２）とコードが一緒に上がって行き、閉めを終えたときには、コードは元の位置に引き戻っている。
これにも目を見張り、この扉方式しか成しえない業である。
（送電ストップ装置（図８）の必要性）
ペットが、餌を食べるとき、Ａ１Ａ２に通電した侭であれば、食する障害になるばかりか、強烈に引っ張る等して、餌箱を損壊させる危険がある。
図８が、スイッチを切る装置であるが、セット位置は餌箱のストップ位置と同位置で、切る仕組みは、餌箱の底に取り付けた永久磁石（ａ）が、スイッチボックス内部の強磁性体（５７）を吸着する。
すると５７と連結させた通電接触面（６０）が、上昇することでＯＦＦとなる。
【請求項６】
（引出し式餌箱、並列連結による給餌システム）
図９  図１０  図１１  図１２
このシステムによる給餌は、三食以上が可能で、その場合、横幅が長くなり場所をとるが、餌箱の奥行を深くすることで、横幅は短縮することが出来る。
このシステムでは、ペット自身（図３のＦ１）で引き出すが、そのフットワークを誘うのは、疑似餌風のオブジェクト（図１１）である。
（オブジェクトに魚を選択した理由）
横に長く、二つの永久磁石を隠し、セットできること。
背びれ（Ｆ２）が、取っ手の代わりになり、フットワークを誘うにこれ以上の対象はないこと。
また、かわいいペットの器には、愉快さが似合っていること。
オブゼエクトの材質については、ジュラルミンなど考えられるが、ショット前のオブジェクトは、背面を半格納にしておくことで、背面の象りが可能な材質をも併せ持つ必要がある。
３食が、３匹用とすれば、並列するだけで完成となる。
一匹三食用となると、一食済ませる間に他のオブゼエクトは引っ込めておく必要がある。
それが不可能とすれば、一度に全部食べられ、餌盗りにも遭いかねない。
タイマーをＯＦＦにすることで、マグネットの吸着力が引っ込めに働くが、その力は空気抵抗にて、Ｐ力よりはかなり低下する。
ガウス数２６００Ｇ＝吸着力２０Ｋｇを用いた実験の結果では、ショット先が餌箱表面（図９の７０）から３０ｍｍを超えていると、吸引力の低下は顕著となっている。
オブジェクトにフットワークさせる適度な距離は、Ｆのサイズによって異なるが、吸引力を補う必要があるケースでは、簡単な手段として、Ｐの装置を少し上向きに取り付け、更に滑り落ちる力を増すため、射出停止用球（図１０の６９）の重量を増しておく方法がある。
【請求項７】
（下りスロープ式簡易システム）  図１３
餌盗りの心配のない家庭では、図１３のシステムで十分である。
また、ペットが複数の家庭向けには、その分だけ器を大きくすることでも対応可能だ。
尚、延長コード処理システムなど不要なことから、連結も容易である。
【手続補正４】
【補正対象書類名】明細書
【補正対象項目名】０００２
【補正方法】変更
【補正の内容】
【０００２】  犬猫のみならず動物給餌システム全般に関して、日本国特許庁のホームページに於いて「公開特許」及び「公開実用新案」など調べて見ると、その数は５０程と少なくはないが、その中の１０割の装置が、ホッパーやモーター回転式の類であり、それらどの発明も、本件の請求の範囲、及び、図面の構造とは、発案発想の土台が異なり、対比する技術箇所が一つとして存在しない。
尚、店頭でも販売を見ない。
国外についても、対比する給餌システム製品の販売の情報やメディアの報道、文献も見聞きしない。
【手続補正書】
【提出日】平成24年2月1日(2012.2.1)
【手続補正２】
【補正対象書類名】特許請求の範囲
【補正対象項目名】全文
【補正方法】変更
【補正の内容】
【特許請求の範囲】
【請求項１】
中型、大型犬に対応したシステムであって、明細書で説明した、延長コード確保により、１食目と２食目で異なる給餌システムを取り入れることに成功し、分割給餌を確実化させ、１食目、２食目夫々の給餌食を餌盗りから防備する為の手段として、電磁石（Ａ）に吸着させるペンダントＱをペットの身に着けさせる手段で餌箱（Ｌ）を引出す発明と、ペットが口に銜え引っ張る部材（Ｍ２）を、電磁石（Ｂ）と永久磁石（ｂ）の同極反発でもって放出させ、Ｍ２と繋がる給餌口を塞ぐ引き戸を引き出させる発明の２種類の餌盗り防備システムを備えたことを特徴とする、中型、大型犬に対応した２食給餌システム。
【請求項２】
引出し式餌箱を３箱並列した３食分割給餌システムであって、ペット自身の足で箱を引き出させる手段に、キャラクターとなり得るオブジェクトを取り入れ、それを実用化する手段として、明細書で説明した、電磁石（Ｄ）と永久磁石（ｄ）の反発力で格納部から放出させる発明を行い、そのシステムを３列の餌箱夫々に取付けることで、餌盗りに備えたことを特徴とする３食分割給餌システム。
【請求項３】
電磁石（符号Ｅ）を後壁に据え、車庫内で制止中の餌箱の背面に永久磁石（ｅ）の取り付け、天井内に符号１のエリミネーター室があり、Ｅに入電するとｅとの間で同極反発が起こり、餌箱は押し出され、スロープを下り、外へ出ると車輪ストッパーで停止する、従来の技術に見ぬ最も簡単な造りの「下りスロープ式簡易給餌システム」を特徴とする。
【手続補正３】
【補正対象書類名】明細書
【補正対象項目名】全文
【補正方法】変更
【補正の内容】
【発明の詳細な説明】
【発明の詳細な説明】
【産業上の利用分野】
【０００１】ペットは家族の一部であり、従来に見る機械的な単なる餌やり機では、餌にかける飼い主の思いやりが伝わらず、特に対象が犬の場合には産業化に限界がある。
手詰まり状態の技術に、新風を吹き込むべく考え、閃いたのが本願の技術システムである。
【背景技術】
【０００２】  犬猫に限定せず、「公開特許」「公開実用新案」［メディア情報］等、調べた結果、動物用自動給餌器の数は少なくはないが、その中の９９パーセントのシステムが、ホッパーやモーター回転式の類で、愛玩動物と人の絆に配慮した物とは成っていない。
ただ一点、本願請求項１の機構を成す「アップダウン式蓋体」が、文献（実願平４−３３４５０号−実開平６−１９４５０号）にて認められた。
その公開文献によると、電磁石５と磁性板１３によりアップダウン開閉する蓋体３と、扉内に設置される給餌器１５と、タイマー６を備えたペット用自動給餌装置が記載されている。
尚、図面２符合４に付勢用重りが示されている。
本願添付図１を見る。
電磁石Ｃ（ＣＳＰ）と永久磁石ｃ（ｃＳ）によりアップダウン開閉する蓋体３と、符号２の付勢用重りがある。
蓋体（扉）の頭頂部（符号Ｊ）には、符号Ｔ（部材金属棒）を強固に取り付け、その先端には、付勢用重りが釣鐘状に取り付けられている。
扉を、上から下へ見やると、一食目の給餌口（符号１０−３）に続き、２食目の餌が入る引出し式餌箱（符号Ｌ）の出口を同時に開閉する蓋体がある。
図３に目を通すと、先行技術との大なる差異は、後に詳述の「ＬＷＯシステム」の有無である。
【発明が解決しようとする課題】
【０００３】  イ  餌盗り防備システム
餌を盗む動物は、何れの家庭においても、どこから現れるやも知れず、空からはカラスが狙い、これも厄介である。
従って、屋外用給餌器に、餌盗りの備え無しでは、飼い主を安心させる事はできない。
ロ  完全分割給餌システム
宿泊予定の場合、２食以上必要とするが、同時に食べられる心配があってはならない。
ハ  手作りの餌給餌システム
家族同様の犬の場合、飼い主の臭いがしない餌は食べないケースがある。
二  電気器具、機械化を排除した給餌システム
折角の手作りの餌も、機械から出ては台無しで、購入する気にならない。
ホ  中、大型犬用２食以上給餌システムでは、２食とも体に見合う十分な量の給餌が可能でなければならない。
ヘ  屋外用給餌器には、大雨浸水への備えが欠かせない。
ト  機械トラブルの場合、家人の手でメンテナンスが可能なシステム。
チ  小型ペット用の簡単なシステムで、数匹一緒に食べることが可能であり、且つ、器の上に乗ったりして遊べず、倒れる心配がないこと。
リ  誰にでも気軽に手が出せる「低価格」であること。
【０００４】本発明は、上記の声に耳を傾けた産物である。
本説明で登場する「ＬＷＯシステム」とは、次の特徴を持つ総称である。
Ｌは、「引出し餌箱」の符号で、ＷＯは機械化を排除した基軸である。
イ  Ｌは、各種の餌盗り排除機能を備える事が出来る、唯一の餌箱である。
ロ  電気器具化、機械化を必要としない延長コード処理システムを備えてる。
ハ  手作りの餌が用意でき、確実に２食分割給餌ができる。
ニ  キャラクター商品化が可能である。
ホ  大盛りの餌を必要とする中、大型犬の２食目餌入れに最適である。
【課題を解決するための手段】
【０００５】  全ての課題解決に取り組んだとしても、機械だけ考えていては、機構が複雑になる一方で、それでいて、全ての課題解決に至らない。
本発明では、ペット自身に出来ることがないか、考えた。
解決したのが、「ＬＷＯシステム」であるが、多様なニーズを叶えるには、最低３機種は欠かせず、請求項３の「下りスロープ式簡易システム」がその一つである。
【実施例】
【０００６】  請求項１から順次説明する。
装置全体の仕組みについては、配置位置が異なる複数の電磁石への配線を追いながら、説明して行くのが判り易い。
図３符号３２（コンデンサ）の＋側に接続した電線を符号Ｙとする。
Ｙの配線は、側壁を上方へ這い、符号ＹＯから符号１９（後述）を経由しＷＯに取り込む。
コンデンサの−側に接続した電線を符号Ｘとする。
Ｘも、ＷＯに配線するが、ＷＯへ直接配線するＹとは異なり、ＷＯに取り込むまでには、電磁石ＣとＢを経由せねばならず、迂回する事から、Ｙとは別に説明する。
箱型のＷＯは、符号２の付勢用重りと一体で、符号３の蓋体（扉）の開閉に合わせて上下に移動する。
ＹＯとは、落下防止固定を施す為のボックスで、対壁のＸＯも同じである。
ＷＯには、左右にコードを取り込む穴があり、中では、ＹＸが抜け落ちない為の固定処置を行なう。
従って、電線ＹＸも、図示の如くＷＯの動きに合わせ上下に移動する。【０００７】  ＷＯの下に符号ＺＯ、その下に符号「Ｋ」がある。
符号ＺＯと電線Ｋについて説明する。
ＺＯは長さ１５ｃｍ程の円柱形の圧縮バネで、ＷＯ中央部の穴の周りと溶接している。
バネの働きについては、図３符合Ｌ２に見るが、詳細は後述する。
電線Ｋは、ＷＯ内でコードＹＸと接続するため「２心」である。
電線Ｋが、ＹＸと異なることは、２食目給餌用のＬの引き戻しにも利用する事で用いるコードは、負荷に強い電気掃除機用と同種で、強固な落下防止を施す。
図のＷＯを見ると、付勢用重りに後で取り付けたとも見える。
付勢用重りと同体が望ましいが、落下防止を施す空間の確保が困難とすれば、鉄箱を溶接する。【０００８】  次に、図３に見る電線ＹＸの動きに関して、説明する。
ＷＯは上下するが、ＷＯ１の位置は、符号３扉（蓋体）を閉じた時の位置を示す。
符号３の開閉に関わる電磁石への配線については、後述するが、図３では電磁石の様子が見て取り難く、この場で説明する。
図１に、符号２４（基盤：土台）がある。
その上に符号ＣＳＰを見るが、Ｃは電磁石、ＳはＳ極、Ｐは同極反発の活用を示す。
電磁石と反発するのは蓋体に埋設した永久磁石ｃＳである。
Ｃを据付けるのは、基盤である。
ＷＯが、ＷＯ１の位置から下降するときは、蓋体が、図１符合２４の位置から跳ね上がって開いた時で、開く仕組みは、次である。
タイマーにセットした時間に、磁石に同極反発を起こり、開錠状態になると、重りの付勢力が働く。【０００９】図３では、ＷＯ１からＷＯ２への降下を示している。
ＷＯ２の位置は、跳ね上がった扉が、扉ストッパー（図１符号２６）で、制止した時を示す。
このＷＯが降下する距離と、扉が開き制止するまでの距離（電磁石Ｃから永久磁石ｅ間の距離）は、同じである。
電線Ｙが、Ｙ１からＹ２へ上昇した時は、扉が閉じた時で、Ｘも同じ動きである。【００１０】  図３のＹ２は少し垂れ下がっているが、その部分は、長さにゆとりを持たせていることを示し、理由は下記である。
図１と図３に符号１８があり、重りが上下する側壁の中央に、下向きの２本の線がある。
それは側壁を１０ｍｍ程切り貫くことで、ＹＸの上下移動を可能にしたコードガイドである。
また、切り貫きの頂には、符号１９があるが、それはアーチ形金具で、もしアーチ形金具が無いとすれば、ＹＸの電線は、ＹＯＸＯからＷＯ１へ、粗４５度の角度で上昇することになり、その結果、コードガイドへ戻すことは、不可能になる。
アーチ形金具の負の面として、上昇摩擦が考えられるが、摩擦を緩和させるのが、ＹＯとアーチ形金具間に見る、コードを垂らしたゆとり配線で、そのゆとりは、Ｙ１Ｘ１にも見て取れる。
又、ゆとりは、地震等による重りの揺れへの備えにもなっている。
ゆとりを持たせると、そのだけ延長コードの確保を通常より長くする必要があるが、既に確保しているのが、前述のアーチ形金具経由の配線である。
その配線と、角度４５度配線とのコードの長さの差を計算してみると、アーチ形金具経由の方が、約１．４倍長く、これだけ長く確保出来ると、より大型犬用の扉にも対応出来る事になる。
以上の延長コードが、ＷＯ１からＷＯ２へ降下する事で起きることは、ＷＯ１の位置でＹＸと接続したコードＫが、Ｚ２を設けた床上でとぐろを巻く事で、その処置が必要となる。【００１１】Ｋの説明より先に、後回しにしていた電線Ｘの配線説明を行なう。
図３でＸの配線を見ると、描き切れずにいる箇所があり、それを含め説明する。
電線Ｘは、コンデンサの−側と接続し、その後、床面（基盤）に向かって直下している。
床面に達すると、エリミネーター室の前面壁をくり貫いた穴を潜り、基盤の上を這い電磁石Ｃへ向かう。
図４で、電磁石Ｃとの接続を説明すると、ＣのＮ極側で迎えるエナメル線と接続する。
図３では、Ｃを頭にＳＰと記述しているが、「Ｃは電磁石」「ＳはＳ極」「Ｐ」は同極反発の活用を示している。
ＣのＳ極と反発する磁石は、アップダウン式蓋体（図１符合３）の下辺中央に埋め込み取り付けた永久磁石ｃＳである。
この組み合わせは、Ｃに入電すると蓋体蓋体蓋体を開錠状態にするが、一方、入電前の電磁石は鉄の塊であるから、永久磁石の吸着力で、蓋体を閉じておく事ができる。
Ｃは基盤据付けであるが、図３では、それが見て取れない。
据付けでは、基盤を浅く凹ませた所で固定するが、地震に備えて合成ゴム等で保護する。
図１のＣを見ると、符合２４（基盤）の上に据えているが、その図で見て取れないことは、ＣとＬの底との空間であるが、Ｌが通過するだけの空間は存在する。【００１２】  次のＸの配線は、電磁石Ｂである。
図１図４は、「Ａ」「Ｂ」「Ｃ」３個の電磁石を、ワンセットのエリミネーターで作成している事を示すが、それら電磁石を図１図３で見ると、夫々セットする位置が離れている。
更に、図４を見ると、夫々の磁石に巻き終えたニクロム線は、配線コードと接続し易い箇所で切断した様子が読み取れる。
電磁石ＢのＮ極側（以下エナメル線省略）に接続するのは、電磁石ＣのＳ極側から来たコードである。
図３では、電磁石ＣからＢとの間のコードの順路が描き切れずいる事から、補足説明する。
電磁石Ｃからの配線は、人家の配線とは異なり、如何様にも配線できる。
左側壁へ向かって基盤の上を這い、次にＬと側壁の間の隙間を抜け、壁を上に向かい電磁石Ｂ（図面ＢＮＰｂＮ）と接続する。
その途中で、唯一配線障害となるのが、基盤両サイドに設ける車輪ガイド（図７）である。
それを、迂回するスペースが在るのは、車輪ガイドの始点（Ｌの後部）とエリミネーター室の前壁との間である。【００１３】  図３のＢＮＰｂＮの記述は、図６の「餌盗り防備システム」を示し、この装置も、同極反発を活用したものだが、その仕組みを図６と図５で説明する。
図６に、永久磁石ｂがあり、ｂ中心部からはｂと一対の符号Ｇ（丸く細長い軽金属の棒）が内壁に向かって伸びている。
棒の先半分程は、符号Ｈ（軽金属製管の空洞）の中へ挿入されている。
その軽金属製管は、壁の横木をくり貫いたトンネル（符号Ｈ２）の中で外壁までセットされている。
トンネルの役目は、符号Ｇの先端を外壁へ導くことにあり、外壁側からはＭ２が挿入される。
以上により、Ｂに入電するとｂが同極反発で跳ばされ、その結果、符号Ｇの先が、
Ｍ２を玉突き状態で突き飛ばし、外へ放出する（参照  図３のＭ２）。
放出したｂは、符号Ｈのトンネル入り口に衝突し停止する。
放出されたＭ２は、符号４３（一食目の給餌口を開く引き戸）と、符号Ｕ（鎖又はピアノ線）の取付け金具と、繋がっている。
Ｍ２は、犬が噛み銜え引っ張る道具で、引き戸を引き出す仕事を犬にさせる。
少々訓練すれば出来るようになる。
課題は、ペットに落下する時間は分からない事で、犬が知る方法が必要な事だ。
そこで設けるのが、図１の符号ＭＨ（反響板）で、反響音を発するのは、落下して来るＭ２の衝突だ。
反響部材は、衝突する時のＭ２の振り子状態を活かし、反響を反復する金属とするが、反復の補助器具として、符号Ｕの取付け金具に回転軸を備える。
落下前の鎖又はピアノ線は、動物の目から隠しておく必要があり、外壁に「隠し彫り」等の工作が求められる。
図５符合４５には、二つの役目がある。
一つ目は、外壁から外への落下防止。
二つ目は、強烈な引っ張りに備える警報ブザー（分電盤から配線）のスイッチＯＮに用い、図１符合８の壁面内側にプッシュスイッチをセットする。【００１４】  犬によっては、引き戸を上手く開けないケースが考えられなくはないが、少し開くだけで、餌の臭いが漂って来る事から、空き腹の犬であれば、引き戸の前面にまわり、足や頭部を使って何が何でも押し開く。
練習は、させておくが、練習する時の仕草を見るのは愉快である。
上手くやれると、飼い主は嬉しくなり褒美をやる。
すると犬は喜び、給餌器への愛着さえ芽生える。【００１５】  次に、大型犬での心配は、引き戸の損壊であるが、頑丈さは当然として、引く時の摩擦の軽減が欠かせない。
その設備は図３に見る符合５とＶＵが示している。
符号５が示すのは、一食目の餌入れ（図２符合１０）を設けた硬質ステンレス製の固定版の前面である。
ＶＵは、引き戸の出し入れ口（図１符合９）の底辺を示している。
又、ＶＵから右対壁に伸びる二本の点線を見る。
点線が示すことは、図７に見る「Ｕ字型の車輪ガイド」を、符号５の固定板に設ける事である。
引き戸（符号４２；４３）二枚挿入の場合、ガイドは二本必要となる。
しかし、図７の中の車輪は必要とせず（車輪は餌箱用）図７の中で必要な備えは、符号１４は当然として、符合５０の脱線防止の突起も欠かせない。
それは、二枚の引き戸間の仕切りの代わりにする事にあり、引き戸の上面にある横柱にも設ける。
そうすることは、引き戸の動きを安定させ、頑丈さを保つことにも繋がる。【００１６】  次に、引き戸の引き戻しに関連し、図で読み取れない箇所を、説明する。
図１に符合５−１がある。
その符号は、Ωの字形をした線の部分を示し、その線は符号５に繋がっている。
その符号５は、鍋底の形をした一食目餌入れ（符号１０）を設けた固定版の前面を示し、Ωの字形の下にＡ１が見える。
そのＡ１は、Ｌの電磁石室（図３Ｇ２）中央上面に据えた電磁石で、後述のＱを吸着させる為に、露出させておく必要がある。
従って、Ωの字形は、固定版のくり貫きを示している。
そこをくり貫くと、既述の引き戸のガイドＶＵが両壁の間で、途切れることになる。
だが、引き戻しの障害とはならず、逆にプラス効果がある。
その効果については、「一食目餌盗り防備システム」とは、直接関係なく、ペンダントＱの項にて、説明する。【００１７】  次の配線は、コードＫとコードＹＸを接続する空間を設けたＷＯである。
ＷＯまで到達する途中には、記述のＸＯがあるが、図３では、電磁石ＢからＸＯ間のコードの経路が描き切れずいることで補足する。
図１に、電磁石Ｂを据付けた長方形の箱ケース（符合１６）を見るが、Ｘへの配線は、電磁石ＢのＳ側からである。
箱ケースは、ＸＯを取付けている壁側で、落下防止を施しているが、そこからコードＸをＸＯへ持って行けば、配線の障害物はない。
Ｙコードの配線で説明した、図３の符号１８と符合１９は、Ｘ０からＷＯの間にもあるので、Ｘの配線も既述のＹコードと同じである。【００１８】次は、Ｌの運用に係わる電線Ｋの配線である。
Ｋに必要な延長コード確保については、図３を基に説明する。
Ｌの背面の底下に符号３４を見るが、そこで、Ｋコードに強固な固定処置を施す事で、ＬとＷＯとの連繋が成る。
Ｌの引出しに必要とする延長コードの長さは、符号ＬＬの位置（車庫収納時の最後部）から符号２５（車輪ストッパー）で停止する間に動いた距離の長さとなるが、この距離の長さを説明上、Ｌ５とする。
図３に見るＷＯ２の降下位置は、扉ストッパー（図１符合２６）にて停止した時点を示しているが、その位置は、Ｌを引き戻す時の起点でもある。
図３に見るコードＸは、符号Ｌ１へ降下しているが、その上方に符号Ｌ３とＬ２がある。
その曲がりは、Ｋを中に通したバネのＺＯの曲がりである。
曲がりは、Ｌ５間を引き出されて起きるが、バネの必要性については、後述する。
Ｌが引き出されると、Ｌ１から、Ｕの字形に上昇して行き、後壁に取付けたＺ１の輪の中をスベリ抜けて行く。
Ｚ１の構造は、前後に動く金具と、スベリベアリングを装着した輪の金属から成る。
壁に取付ける位置（高さ）は、Ｌ５の距離の違いで変化するが、高くなったとしても増す摩擦は微量で、犬が引き出すには影響しない。
次に向かう先はＺ２であるが、Ｚ２の構造は、前壁と後壁間の床上に電線Ｋをガイドする両枠を築き、両枠の前後に回転軸を取付けている。
大型犬の引っ張りを制御する観点からは、Ｚ２で生じる摩擦はむしろあった方が良いが、その分、頑丈な据付けを施す。
電線Ｋの符号３４までの配線を振り返って見ると、延長コードを確保する領域は、Ｚ１とＷＯ２の間に限られている。
その領域で確保できる延長コードの長さを、図３（縮図約１０分の１）を基に計算してみる。
Ｌ３からＬ１（説明上、長さ１）、Ｌ４からＬ１（長さ２）。
以上１と２の長さを計測すれば合計５０ｍｍ強で、延長コードの確保は５０ｃｍとなる。
次の配線は、Ｌの運用に係わる電線Ｋである。
図３では、電磁石ＢからＸＯ間のコードの経路が描き切れずいることで、補足する。
図１に、電磁石Ｂを据付けた長方形の箱ケース（符合１６）を見るが、Ｘへの配線は、電磁石ＢのＳ側からである。
箱ケースは、ＸＯを取付けた壁側にて、落下防止を施しているが、そこからコードＸをＸＯへ持って行くと、配線の障害物はない。
Ｙコードの配線で説明した、図３の符号１８と符合１９は、Ｘ０からＷＯの間にも設けているので、Ｘの配線も既述のＹコードと同じである。【００１８】  Ｋに必要な延長コードの処置については、図３を基に説明する。
Ｌの背面の底下に符号３４を見るが、そこで、Ｋコードに強固な固定処置を施す事で、ＬとＷＯとの連繋が成る。
Ｌの引出しに必要とする延長コードの長さは、符号ＬＬの位置（車庫収納時の最後部）から符号２５（車輪ストッパー）で停止する間に動いた距離の長さで、この距離の長さを説明上、Ｌ５とする。
図３に見るＷＯ２の降下位置は、扉ストッパー（図１符合２６）にて停止した時点を示しているが、その位置は、Ｌを引き戻す時の起点でもある。
図３に見るコードＸは、符号Ｌ１へ降下しているが、その上方に符号Ｌ３とＬ２がある。
その曲がりは、Ｋを中に通したバネのＺＯの曲がりである。
曲がりは、Ｌ５間を引き出されて起きるが、バネの必要性については、後述する。
Ｌが引き出されると、Ｌ１から、Ｕの字形に上昇して行き、後壁に取付けたＺ１の輪の中をスベリ抜けて行く。
Ｚ１の構造は、前後に動く金具と、スベリベアリングを装着した輪の金属から成る。
壁に取付ける位置（高さ）は、Ｌ５の距離の違いで変化するが、高くなったとしても増す摩擦は微量で、犬が引き出すには影響しない。
次に向かう先はＺ２であるが、Ｚ２の構造は、前壁と後壁間の床上に電線Ｋをガイドする両枠を築き、両枠の前後に回転軸を取付けている。
大型犬の引っ張りを制御する観点からは、Ｚ２で生じる摩擦はむしろあった方が良いが、その分、頑丈な据付けを施す。
電線Ｋの符号３４までの配線において、延長コードの処置を行なう領域は、Ｚ１とＷＯ２の間に限られる。
その領域において、前記、とぐろを巻かずに確保できる延長コードの長さを、図３（縮図約１０分の１）を基に計算してみる。
Ｌ３からＬ１（説明上、長さ１）、Ｌ４からＬ１（長さ２）。
以上１と２の長さを計測すれば合計５０ｍｍ強で、延長コードの確保は５０ｃｍとなる。
その長さから電磁石室が占める部分を差し引くと、３０センチは残ることになる。
給餌の対象が、かなりの大型犬で、もっと大きな餌入れを求められたとすると、横幅を広くすれば良く、そうする事は、横なぐりの突風の備えにもなる。【００１９】  ＷＯ効果では、次も見逃せない。
符号３の扉は、人の手で閉めるが、目を見張ることは、閉めることでＬを車庫に引き戻す事である。
もしＷＯがなければ、延長コードの巻き取り装置が必要となるのである。
きれいに車庫に引き戻す条件としては、引き出す距離Ｌ５と、Ｋに確保した延長コードの長さを合致させておく事があり、それを、図３で説明する。
バネＺＯがＺ１へ引き上げられて、Ｌ２に曲がっているが、その状態は、Ｌが完全に引き出された時である。
もしＺＯを取付けずにいたとすれば、コードＫは鋭角に引き上げられ、コードを痛めてしまう。
だからと言って、ＹＸと同様にコードの長さにゆとりを持たせたりすると、その長さだけＬの引き残しが生じる。
ＺＯの効果には、鋭角上昇の緩和と、もう一つ次がある。
Ｌ５の長さと延長コードの長さが完全に合致せず、それが少しのオーバーであれば、圧縮されたバネの付勢力で引き戻すことが出来る。【００２０】  電磁石Ａへの配線
コードＫは、符号３４で固定処置を施すと、Ｌの底下配線となり、向かう先は、
符号３５（接続端子盤）である。
図３を見ると、電磁石Ａ１とＡ２側から伸びたエナメル線を端子盤に取り込んだ様子が読み取れる。
エナメルは、コードＫと接続するが、Ａ１側エナメル線はＫの＋側、Ａ２側は−側である。
この端子盤には、後述の臭い送風機用の接続端子も取付けている。
以上にて、全ての電磁石への配線は完了した。【００２１】  図３符合Ｑと餌盗り防備システム
ペンダントＱは、電磁石Ａに入電するとＡ１とＡ２のどちらか片方に吸着する。
電磁石Ａの据付けは、図３符合Ｇ１（電磁石室）に見る。
Ａ２は電磁石室の正面（Ｇ２）、Ａ１は電磁石室天蓋上面を向いている。
その二つの向きを見ると、ＳＮ両極夫々がペンダントＱ（強磁性体）の吸着用で、確実に吸着させる為の二段構えである事が、読み取れる。
尚、ペットで異なる首の長さや、ペンダントの長さへの配慮もある。
ペットが身に着けたＱは、Ｌの引っ張り出しを、ペットになさせるための道具であると同時に、人間社会における本人確認のカードである。
Ａ１Ａ２に、Ｑが吸着すると、ペットは異変に驚きバックする。
その動作の応用であるが、慣れて来れば、少し引き出した後は、足で引き出すことになる。
２箇所設けるには、鉄心を馬蹄型から更に釣り針状に曲げるが、エナメル線を巻き易くする工夫が、求められる。
図１図３で、Ａ１Ａ２の吸着面が露出しているが、実際はその上に磁性板を接着する。【００２２】  ペンダントＱ吸着の確実化
図１の給餌口に符号Ｇ３を記し、図３にもＧ３を示しているが、符号Ｇ３は、磁石室の後壁を示す。
図１に、既述（００１６）の符号５がある。
符号５には、Ａ２を露出させる為のΩ型の切り貫きがある。
その切り貫きは、Ｑを確実に吸着させる為の効果を齎す。
Ω型に切り抜いた部分は、図５符号４２（引き戸）の符号Ｖの中心部に位置することになる（参照−図１符合１０−３）。
符号Ｖと符号１０−３（以下の説明ではＶ１０−３）は、頭から首の侵入口に当るが、それら侵入口（給餌口）の大きさが、ペットの頭や首のサイズと掛け離れていれば、首に下げたＱは、Ａ１Ａ２の設置位置から逸れて通過する恐れがある。
そこで、Ｖ１０−３のサイズとペットの頭と首のサイズとを合わせることにより、Ｑの通過点を狭めるが、そうする事でΩ型の切り貫きに確実に嵌り込むことになる。
固定版は、引き戸の基盤な事から、約２０ｍｍの厚さがある。
ペットが、成長過程にある家庭では、Ｖ１０−３のサイズが大きな引き戸を数用意しておくが、小さなペットに齎す効果として、より大きな餌盗りの侵入防止になる事がある。【００２３】  ２食分割給餌の確実化
分割給餌を可能にするには、現在のタイマーが、１つに「１４プログラムの設定機能」をもち、２に「１秒刻みのＯＮＯＦＦが可能」なことがある。
しかし、給餌器によっては、その機能だけで、確実に、一食目と２食目を２回に分けて食べさせることは出来ない。
解決を見たのが、１食目と２食目に異なる給餌システムの取り入れを可能にした、ＬＷＯシステムである。
扉方式の効果は、タイマーＯＮにより電磁石Ｃと、扉に埋め込む同極の永久磁石間に反発が起こり、扉が跳ね上がることで、その音でペットが駆け寄って来る。
Ａ１Ａ２への通電時間が長いとすると、Ｑが吸着し２食目も引き出す可能性がある。
だが、重りで跳ね上げる扉であれば、瞬時に開くことで、タイマーＯＮからＯＦＦの間を一秒程にセットしておく事で、不可能となる。【００２４】  ２食目を確実に食させる方法
２食目の給餌時間がやって来ても、一食目の餌皿は空になっていることで、ペットは、首を突っ込まない。
音声テープで、飼い主の声で呼びかける方策もあるが、当システムで選択したのは、２食目の餌の臭いを、１食目の給餌口から送り出す為の、臭い送風機（図１符合１１）の設置である。
双方の比較をすれば、音声は拡散し、１０−３から呼ぶ声と特定できるかの疑問がある。
特定出来たとしても、餌入れは空になっている事で、覗き見る事があるにしても、再び首を突っ込むかは、疑問である。
それに対し犬の嗅覚であれば、臭いの出もとは直ぐにも判る。
残る課題は、ペンダントＱを確実に吸着させる為には、首を深く突っ込ませる事が、必要なことだ。
それを解決するのが、図１符号１７の疑似餌である。
疑似餌は、何れ分かるにしても、空き腹に臭いがして来るからには、首の突っ込みをやめることはない。
尚、送風機の取り付けは、固定板に穴を開けその上に据付けるだけで済み、音声テープより取り付けが容易で、飼い主の手間も掛からない。【００２５】  図８  送電ストップシステムの必要性
Ｌの２食目の餌を食べるとき、Ａ１Ａ２に通電した侭であれば、ペンダントＱは食べる時も吸着している。
そうなると、食べる障害になるばかりが、強烈に引っ張る等して、Ｌを壊す恐れがある。
スイッチの種類については、諸々と考えられるが、図８のスイッチは、一例である。
スイッチボックスの据付けは基盤の上で、据付け場所を示すのは、図３符号３８である。
スイッチを切る役目の永久磁石の符合は３７で、Ｌの背部の底の部分にはめ込んでいる。
３７の永久磁石に対し、スイッチボックス内部には強磁性体（５７）があり、両方が上下に重なると５７が吸いつけられる。
当システムではＬが車輪ストッパーで停止した時に上下に重なる。
符号３６の電線は、ＡＣ１００Ｖ配電盤（図３符号２７）の端子に接続するが、このスイッチに用いる電線は、２心の内の皮膜が白の方で、図８符合６０と接続する。
符号５７と６０（入電側銅版）とは連結しており、図で見て取れる。
連結している事で、３７の永久磁石とスイッチボックス内の強磁性体（５７）が重なると、５７は吸いつけられ、符号５９（出電側銅版）と引き離され、ＯＦＦとなる。
図８符号５２は、スイッチボックスへの配線を終えたコードで、ＡＣ１００Ｖタイマー（符号２８）に接続する。
この電線回路では、スイッチがＯＦＦになると、全機能が停止するが２食目の餌が引き出された後のことで、何ら支障はない。【００２６】  請求項２に移る
給餌対象は、小型から中型のペットで、図１２は、３食給餌システムを示している。
餌箱は、請求項１と同じ引出し式（Ｌ）である。
３食分割給餌には、電磁石とタイマーを使用するが、電磁石の数は、システム全体で３個で、１つのＬに一個である。
因って、電磁石への配線は、図４と基本的に同じである。
餌箱を引き出すのは、ペット自身（図３Ｆ１）である。
当システムの電磁石（符号Ｄ）は、図９に示しているが、先に延長コードの確保から説明する。
延長コードの確保は、基本的に請求項１と変わらないが、扉の時の様に長さが取れない事から、垂れ下げる箇所を増やし、補っている
図１２の符号Ｒは、延長コード確保領域を示し、符号８８は、Ｚ１、ＹＯ、ＸＯ等のボックスを取付ける後壁を示す。
符合Ｒ１〜Ｒ１２に見る垂れ下げ部分の数は１２で、３つの餌箱の合計である。
一つの餌箱に４箇所であるが、その内訳は、コードＹが二箇所、コードＸが二箇所である。
図３に符合ＴＤを記しているが、当システムには上下するＷＯが存在しないことから、ＴＤの位置を中心に、１つのＬにつき左ＹＯ側、右ＸＯ側それぞれ２箇所の垂れ下がりを設けることになる。
Ｚ２、符号３４の数も、１から２と増えているが、ＷＯが無いことに起因している。
以下、図１２に記した、連結Ｌの符号「ＬＤ１」「ＬＤ２」「ＬＤ３」夫々の配線の説明を行う。【００２７】  説明順序は、ＬＤ１からである。
ＬＤ１へ向かう電線Ｙは、ＹＯボックスを起点とし、Ｒ２Ｒ１にて一回目二回目の延長コードを確保する。
延長コードを確保すると、Ｚ１−１を潜り、Ｚ２−１へ向かって下って行く。
請求項１では、Ｚ１は一箇所のみであったが、このシステムでは、総計１４箇所必要とし、左端をＺ１−１とし右端をＺ１−１４としている。
Ｚ２−１は、図３（請求項１）のＺ２と同じコードガイドで、数字１と２は２箇所設けることを示している。
Ｚ１−１から下った電線は、符号３４−１に取り込むが、この装置も図３の３４と同じで、やはり２箇所設ける。
次は向かう先は、符合３５−１（接続端子盤）で、その盤で、電磁石Ｄ（図９）と接続するが、接続端子盤を設けるのも、やはり２箇所である（図１２符合３５−１と３５−２）。
以上の配線は、「ＬＤ２」「ＬＤ３」どれも同じである。
３５−１において電線Ｙと接続するのは、Ｓ極側エナメル線（以下エナメル線省略）である（参照、図４；図１１）。【００２８】  次の配線は、Ｎ極側からで、「３４−２」「Ｚ２−２」を経由して行くと、Ｚ１−３を潜りＲ３とＲ４にて延長コードを確保する。
以上Ｒ４までが  ＬＤ１の延長コードとなる。
図１２符合８５は、車輪ストッパーまで引き出された時の延長コードの様子を示している。
見ると、少し垂れているが、それは、隣のＬの延長コードを引っ張る等で、トラブルが起きないように、ゆとりを持たせている。【００２９】  ＬＤ２に移る。
ＬＤ１のＲ２Ｒ１に該当するのがＲ５Ｒ６である。
ＬＤ１のＺ１−１に該当するのがＺ１−７である。
Ｚ１−７からＺ２に向かってから先の配線は、ＬＤ１と同じである。
接続端子盤における接続は、図４に見る、ＹがＳ極側、ＸがＮ極側で、ＬＤ３においても図４に見る接続と同じである。
ＬＤ２に見る、Ｚ１−７とＺ１−８のスパンが他より長いが、２箇所のＺ２や符号３４の位置に合わせる為で、他に理由はない。
Ｒ７Ｒ８までが  ＬＤ２の延長コードで、図１２に符号「Ｋ１Ｙ」「Ｋ１Ｘ」を記すが、Ｋは、コードを示し、１は、一心のコード、ＹとＸは、ＹがＹＯから来たコード、ＸはＸＯから来たコードを示している。【００３０】  ＬＤ３の配線は他と変わらず説明を要しない。
当システムのＹＯＸＯボックスの取付けは、請求項１と次の点で異なっている。
請求項１では、負荷の掛かるコードＫには、ＷＯにて強固な落下防止を施せたが、ＷＯの無いこのシステムでは、負荷の掛かる起点は、ＹＯＸＯボックスに変わる。
そうなると、このボックスで、落下防止を施すが、万一に備え二重に施す。
施す場所は、ＹＯＸＯボックスからエリミネーターの間となる。
エリミネーターは、図３に示すと同じである（符号３０、３１、３２）。
当システムのエリミネーター室は、図１２符合７９に示すが、その設置位置は一例に過ぎない。
コードの接続は、図３と同じく、Ｙがコンデンサの＋側、Ｘが−側である。
コードＫ１は「一心」だが重量があるので直接接続せず、図１２符号８４（側壁）の位置に接続端子盤を設け、そこでコンデンサから来た線とＫ１Ｘとを接続する。
Ｋ１Ｘの固定処置は、端子盤とＸＯの間で施し、一方のＫ１Ｙは、反対側の側壁に別に端子盤を設けて行なう。【００３１】  以上で配線は終了であるが、点検を要する事は、Ｌを引き出す際のスムーズさで、スムーズにするには、Ｚ１の形状に工夫を加えた上で、スベリベアリングを多用する等が考えられるが、中型のペットであれば、Ｆ１の力が強く、摩擦の軽減はそれほど必要とせず、Ｚ１の取付けを頑丈にしておく。
トラブルが発生するとすれば、Ｌを人の手で車庫に戻す時である。
戻すときのＫ１は、付勢重り（符号２）によって降下するが、重りの軽過ぎに起因する下降停止以外のトラブルについて予測すると、人が想定以上に勢いをつけてＬを押し戻した時である。
そうするとＫの降下速度がついて行けず、車庫内でコードが捩れることが考えられる。
図１２に符号８３を見るが、その符号は、修復用の開閉扉の存在を示している。【００３２】  図９の説明
符号ｄ１とｄ２のｄは、永久磁石を示す。
符号ＤＰ１とＤＰ２のＤは、請求項２で用いる電磁石を示す。
Ｐは同極反発の活用を示す。
数字は、ＳＮ両極の活用を示す。
符号６８は、ｄと一対で、挿入部の長さは約８０ｍｍ、射出される部分は３０ｍｍ前後で、非磁性金属である。
図１０で、符号６８の挿入部の先端を見ると、符号６９の射出停止用球と繋がるピアノ線（符合７６）を結線する部位が見て取れる。
符号６４と６６の鉄芯首部とは、エナメル線を巻かずにいる部分で、Ｄの強固な据付けに活用する。
それを示すのが、符号６５の挿入部と据付け部（符号６７）である。
符号６３のアーム部分の挿入口は符号６１と６２である。【００３３】  図１１の説明
ｄ１ｄ２が、符号７４のオブジェクトを射出した時の様子である。
オブジェクトに魚を選択した理由には、次がある。
図９符合７４のハート形のオブジェクトでは、永久磁石の存在が隠せず、魚であれば、二つの永久磁石を隠しセットできる。
また、強度のあるジュラルミン等の材質であれば、背びれ（Ｆ２）が取っ手の代わりとなり、フットワークを誘う対象として適している。
しかし、魚は一例に過ぎず、キャラクター商品化を考え、現在、他のオブジェクトを模索している。
符号７０と７３は、オブジェクトを象り、半格納にしておく為の厚みのある板を示している。【００３４】  図１０  図１２
３食が３匹用とすれば、並列するだけで完成となるが、一匹三食用となると、一食目食べる間に、他のオブゼエクトは引っ込めておく必要がある。
それが不可能とすれば、一度に全て食べられてしまう。
タイマーがＯＦＦになると、電磁石の吸着力が引っ込めに働くが、その力は空気抵抗にて、Ｐの力よりかなり低下する。
ガウス数２６００Ｇ＝吸着力２０Ｋｇを用いた実験の結果では、射出により飛び出した距離が、電磁石から３０ｍｍを超えると、吸引力の低下が顕著となっている。
フットワークさせるに必要なスパンは、Ｆ１のサイズによって異なるが、吸引力の弱さを補う簡単な方法として、次の二例を挙げる。
１  電磁石と永久磁石とを少し上向きにセットし、更にオブジェクトの滑落力を増すため、射出停止用球（図１０の６９）の重量を増す。
２  図１０に符合ＷＰ「圧縮反発バネ」を示すが、それを、符号６９の停止口である、符号７７に取り付ける。
圧縮反発力が弱いときには、磁石の反発力をより強化した上で、それに見合う強いバネに取り替えることによって、万事解決できる。【００３５】  請求項３に移る。  図１３
システムを説明する。
図を見ると、電磁石（符号Ｅ）を後壁に据え、車庫内で制止中の餌箱の背面を見ると、永久磁石（ｅ）の取り付けを見る。
そして天井内に符号１のエリミネーター室がある。
Ｅに入電するとｅとの間で同極反発が起こり、餌箱は押し出され、スロープを下り、外へ出ると車輪ストッパーで停止する。
餌箱が車庫内で静止している時は、Ｅが鉄の塊の時だが、その仕組みは一項２項の説明と同様である。
発明の特徴は、下りスロープ式簡易システムで、子供にも分かる簡単さである。
簡単さは、誰しも望む処で、本発明は、簡単なシステム考えた末である。
スロープ式の効果
イ  車輪ガイドの中を転がり出て行く姿は自然で、見る人の目も楽しませる。
ロ  流動食が可能で、ペットが複数の家庭でも、器を大きくすることで対応できる。
ハ  ロで、争いが心配であれば、図１２に見る連結をすれば良い。
二  図１３には、両極活用を示すＥ１Ｅ２の記述をしていないが、小ペット用の餌箱の場合には、片方の極の磁石だけで事足り、残る極は、連結する隣りの給餌器に利用する。
そうする事で、給餌器の数を最大６に増やせ、ペット数の多い家庭にとっては、重宝である。
ホ  請求項１項２項３項の機種が揃う事で、産業的価値が高まる。【００３６】  図１４  大型犬対応の１食用も、家庭によって重宝だが、請求項１を簡略にしたもので、請求項には加えず。
【発明の効果】
【００３７】    三大特徴    １  ３種の餌盗り防備システム
（ペンダントＱ効果）
（引き戸反響板式の効果）
（オブジェクト効果）
２  ＬＷＯシステム
３  中型大型犬に大盛りの餌を提供できる、引出し式餌箱の運用システ                    ムの発明並びに２食完全分割給餌システム
我国では、ペット愛好家の数が１０００万人を超える一方で、成長すると野に放つ人の数が年々増加し、社会問題化している。
理由には、外出外泊がしづらく、自動給餌器に頼りたい人でも、屋外用には、安心できる製品がないとか、１日１食の中大型犬で餌を十分に用意できないと言った事情があり、問題を解消するには、自動給餌器の大型化が急務である。
また、手軽な小型用給餌器の品揃えも欠かせない。
また、性能だけで売れる時代は去り、エンターテイメント業界以外でも、癒す効果を齎す、キャラクターが求められている。
図１１の魚のオブジェクトは、その手始めで、アンパンマン類のかわいいキャラクターが生まれたとすると、産業的効果は計り知れない。
【図面の簡単な説明】
【００３７】
【図１】  本発明の実施形態を示す外観図
【図２】  一食目と２食目の餌箱の構造説明図
【図３】  図１の内部の説明用図
【図４】  使用電磁石の作成図
【図５】  ２種類ある引き戸の説明用図
【図６】  第二の餌盗り防止システム図
【図７】  車輪及び車輪ガイドの説明図
【図８】  スイッチ説明図
【図９】  オブジェクト、ショット装置
【図１０】  図９の補充説明図
【図１１】  オブジェクトショット後の説明図
【図１２】  給餌３食用の図
【図１３】  下りスロープ式給餌器
【図１４】  大型犬１食用給餌器
【符号の説明】
【００３８】ローマ字    大文字「Ａ」「Ｂ」「Ｃ」「Ｄ」「Ｅ」＝電磁石
同        小文字「ａ」「ｂ」「ｃ」「ｄ」「ｅ」＝永久磁石
他のローマ字
Ｓ＝Ｓ極    Ｎ＝Ｎ極                    Ｐ＝磁石同極反発活用装置を示す
ＭＨ＝給餌時間を知らせる反響版
Ｑ＝強磁性体ペンダント＝ペット認識カード
Ｆ１＝フットワーク                      Ｆ２＝Ｆ１を誘うオブジェクト
Ｍ１＝ペットの口と噛み歯                Ｍ２＝Ｍ１を誘うオブジェクト
Ｌ＝引出式餌箱                          ＷＯ＝Ｌの運用基軸
電線Ｋ＝ＷＯとＬ間の電線
Ｙ＝直流＋側接続の配線コード            Ｘ＝直流−側接続の配線コード
Ｚ１−Ｚ２＝コードガイド
Ｖ＝引き戸の侵入口、また、侵入口の下辺を表す
【手続補正４】
【補正対象書類名】図面
【補正対象項目名】全図
【補正方法】変更
【補正の内容】
【図１】
2013059309.tif 000017
【図２】
2013059309.tif 000018
【図３】
2013059309.tif 000019
【図４】
2013059309.tif 000020
【図５】
2013059309.tif 000021
【図６】
2013059309.tif 000022
【図７】
2013059309.tif 000023
【図８】
2013059309.tif 000024
【図９】
2013059309.tif 000025
【図１０】
2013059309.tif 000026
【図１１】
2013059309.tif 000027
【図１２】
2013059309.tif 000028
【図１３】
2013059309.tif 000029
【図１４】
2013059309.tif 000030
【手続補正書】
【提出日】平成24年6月28日(2012.6.28)
【手続補正１】
【補正対象書類名】明細書
【補正対象項目名】全文
【補正方法】変更
【補正の内容】
【発明の詳細な説明】
【技術分野】
【０００１】  発明は、留守時ペット給餌器。
【背景技術】
【０００２】  この分野では現在、国内国外共に、当該発明と対比する給餌器は見聞きせず、対比する文献もない。
各家庭のニーズに応えた発明の商業的価値は無限大である。
【発明の表示】
図１  図３  図４  図５  図６  図９  図１１  図１２  図１３  図１４
【発明が解決しようとする課題】
【０００３】  給餌器の中でニーズが高い一つには、数日間留守可能なこと。
【０００４】  以上と同時に、「室外」「室内」両用可能な給餌器。
【０００５】  中型：大型ペット用の給餌器。
【０００６】  餌盗り排除機能を兼備した給餌器。
【０００７】  「故障のリスクが少なく」、且つ、「値が張らない手軽な製品」。
【課題を解決するための手段】
【０００８】  電磁石、永久磁石それぞれの特性を最大限に生かす。
【０００９】  ハプニングが起きたとしても、素人でもメンテナンスが可能なシステム。
【００１０】  奇抜なアイデアの結集。
【発明の効果】
【００１１】  ペット愛好家のニーズを満たし、親しまれる機器を実現。
【発明を実施するための最良の形態】
【００１２】  「ニーズの実態」と［特許請求の範囲］の考察。
【図面の簡単な説明】
【００１３】
【図１】  本発明の実施形態を示す外観図
【図２】  一食目と２食目の餌箱の構造説明図
【図３】  図１の内部の説明用図
【図４】  使用電磁石の作成図
【図５】  ２種類ある引き戸の説明用図
【図６】  第二の餌盗り防止システム図
【図７】  車輪及び車輪ガイドの説明図
【図８】  スイッチ説明図
【図９】  オブジェクト、ショット装置
【図１０】  図９の補充説明図
【図１１】  オブジェクトショット後の説明図
【図１２】  給餌３食用の図
【図１３】  下りスロープ式給餌器
【図１４】  大型犬給餌器の概観図
【符号の説明】
【００１４】ローマ字    大文字「Ａ」「Ｂ」「Ｃ」「Ｄ」「Ｅ」＝電磁石
同        小文字「ａ」「ｂ」「ｃ」「ｄ」「ｅ」＝永久磁石
他のローマ字
Ｓ＝Ｓ極    Ｎ＝Ｎ極    Ｐ＝磁石同極反発ショット＊例  扉開閉＝ＣＳＰｃＳ
Ｑ＝強磁性体ペンダント＝ペット認識カード＝ＱＡ１Ａ２
Ｆ１＝フットワーク  Ｆ２＝フットワークを誘う取っ手の類
Ｍ１＝ペットの口と噛み歯    Ｍ２＝Ｍ１を誘うオブジェクト
Ｙ＝直流＋側から延びた配線コード    Ｘ＝直流−側から延びた配線コード
Ｗ＝ＹとＸをドッキング（２芯化）させたＢＯＸ、尚、２芯コードが落下しないよう施している。
Ｚ＝コードが餌箱と一緒に引出されるか、引き戻される時のコードガイド装置
Ｖ＝引き戸の侵入口、また、侵入口の下辺を表している。【００１５】  （大型犬対応、及び、２食給餌システム）
それらを可能としたのは、図１に見る扉（３）のアップダウン開閉システムで、梃子力学応用（図１の２−Ｔ−Ｊ−３）と「電磁石」「永久磁石」のペアで成り立っている。その給餌器には、扉の開放で食できる一食目と、餌箱を引出すことで食べ得る２食目とが備わる。ペットが大型の場合、扉の頑丈さが要求されるが、図１４は、１図の給餌器を一食用にしたものである。一食用で事足りるケースでは、図３に見る装置の中で必要とするのは、タイマー、エリミネーター（３０−３１−３２）、エクセルギー（２−Ｔ−Ｊ−３））と、永久磁石（図１のｃＳ）の４点しかなく、台座も必要なしの家庭であれば、余りの低コストに驚かされる。また扉には、絵を描くなどにより、楽しめることや、付加価値を高めることが出来る。永久磁石は、扉の開閉の両方共に欠かせず、損壊対策に「１８−８ステンレス」や「ラバーゴム」等にて二重に囲み込み保護する。マグネットの吸着力は、市販の１５Ｋｇ前後のもので間に合う。エリミネーターと電磁石は一箇所に収納（図１４の８３）可能で、このポイントに受ける衝撃に対しても、鉄壁に備えておく。【００１６】  （扉方式の利点２と２食分割給餌の確実化）
２食給餌を可能にしたには、現在のタイマーが、１つに「１４プログラムの設定機能」をもち、２に「１秒刻みのＯＮＯＦＦが可能」なことがある。だが、その機能だけでは、一食目と２食目を２回に分けて食べさせることは出来ない。そこで２食を同時に食させないシステムの発明が欠かせない。この難題は、タイマー機能２と扉方式のペアで解決した。タイマーＯＮによりＡ１Ａ２は、鉄の塊から磁石になるが、永久磁石はＯＦＦの時には吸着し、扉を閉じる役目をしていた。タイマーＯＮで、Ｐ（同極反発）が起こり、扉が開放されてペットが駆け寄って来る。このときＡ１Ａ２に通電した侭とすると、２食目も引き出し食べること可能である。だが、このアップダウン開閉式の扉であれば、瞬時に開くことで、一秒もせずＰは無用である。そのことから、タイマーＯＮからＯＦＦの間を一秒にセットすることで、２食目を食することは不可能となる。【００１７】  （ペンダントＱ）
Ｑ（強磁生体）の役目の一つは、引出し式餌箱の引っ張り出しを、ペットになさせるための道具である。もう一つは、人間社会における本人確認のカードで、餌盗り対策である。Ｑを吸着するのは、図１に見るＡ１Ａ２の釣り針型電磁石である。ＳＮ両極を、上部と前面２箇所に配置する訳にはペットの首の長さ等の相違への配慮がある。Ｑが、吸着すると、ペットは異変に驚きバックする。その動作の応用であるが、Ａ１Ａ２の配置スポットは、図５のＶに侵入する際のＱの予想通過点である。そのスポットを的確にするには、予想通過点を狭める方策が必要である。Ｖの間口（侵入口）が、ペットの頭や首のサイズと掛け離れていれば、通過点を逸れかねず、それにはＶのサイズをペットと合わせておくことが欠かせない。ペットが小さい内は、それをしておく事で、より大きな餌盗りの侵入防止にもなる。ペットが、成長過程にある家庭では、Ｖが大きな引き戸を数用意しておくが、図１の９は、その引き戸の取替え口である。
（２食目を確実に食させる方策）
２食目の給餌時間がやって来ても、このとき一食目の餌皿は空になっている。音声テープで、Ｖから呼びかけたにしても、首を突っ込むとは限らない。より確実な方策が、２食目の餌の臭気をＶから外に流すことで、その装置が、図１の１１の送風機である。念を入れたのが同図１７の疑似餌である。【００１８】  （第二の餌盗り防止システム）
図５の４２の引き戸では、餌盗り防止にならないので、同図の４３のＶなし引き戸に取り替えて引出すシステムである。引出す仕事をするのは、食するペット自身（図３−Ｍ１）である。Ｍ１はＭ２（図５）を、銜え引っ張る。図６は、Ｍ２をＰのショットで放出させる装置で、放出前の鎖は、切削等で凹みをつけた壁面に隠しておく。大方が気になることは、この方策の信頼度であるが、もし口で引っ張り十分に引出せずとも、少し引き戸が開くだけで、餌の臭いが漂って来るので、空き腹のペットであれば、足や頭部を使って何が何でも押し開くこと本能で、少しでも練習させておくと心配無用。それより心配は、引き戸の損壊である。対策には、材質を軽くて硬い金属類とし、摩擦が起こる引き戸の角や底面に丸みをつけ、床面は滑り易く施工をしておく。この装置を加えると、３個の磁石が必要であるが、それを低コストで作成したのが、図４である。図５の４５は、落下の防ぎと、警報ブザー（図１の８）のスイッチをＯＮとする。強烈な引っ張りに備えたもの。【００１９】  （延長コード処理システム）
餌箱の引出し式で避けて通れないのが、掃除機と同じくコードを延長させたり、巻き戻す装置が必要なことである。給餌機器に、ゼンマイ等は不向きで、モーターは衝撃に難があり、コストもかかる。難題を最善に解決させたのが、図３及び図１２に示すＹ１Ｘ１である。垂れた部分の長さは餌箱の長さ（奥行）に比例する。引出しと、引き戻しの際には、コードに多少無理が掛かるので、掃除機と同種のコードを用いる。残る課題は、スムーズな送り出しであるが、シャトルを備えた送線ガイド（図３のＺ）を２箇所設けるだけで、スムーズに事を運びその様子は想像以上である。
（扉方式の利点３）
扉は人の手で閉めるが、閉めるときには、重り（２）とコードが一緒に上がって行き、閉めを終えたときには、コードは元の位置に引き戻っている。これにも目を見張り、この扉方式しか成しえない業である。
（送電ストップ装置（図８）の必要性）
ペットが、餌を食べるとき、Ａ１Ａ２に通電した侭であれば、食する障害になるばかりか、強烈に引っ張る等して、餌箱を損壊させる危険がある。図８が、スイッチを切る装置であるが、セット位置は餌箱のストップ位置と同位置で、切る仕組みは、餌箱の底に取り付けた永久磁石（ａ）が、スイッチボックス内部の強磁性体（５７）を吸着する。すると５７と連結させた通電接触面（６０）が、上昇することでＯＦＦとなる。【００２０】  （引出し式餌箱、並列連結による給餌システム）
図９  図１０  図１１  図１２
このシステムによる給餌は、三食以上が可能で、その場合、横幅が長くなり場所をとるが、餌箱の奥行を深くすることで、横幅は短縮することが出来る。このシステムでは、ペット自身（図３のＦ１）で引き出すが、そのフットワークを誘うのは、疑似餌風のオブジェクト（図１１）である。
（オブジェクトに魚を選択した理由）
横に長く、二つの永久磁石を隠し、セットできること。背びれ（Ｆ２）が、取っ手の代わりになり、フットワークを誘うにこれ以上の対象はないこと。また、かわいいペットの器には、愉快さが似合っていること。オブゼエクトの材質については、ジュラルミンなど考えられるが、ショット前のオブジェクトは、背面を半格納にしておくことで、背面の象りが可能な材質をも併せ持つ必要がある。３食が、３匹用とすれば、並列するだけで完成となる。一匹三食用となると、一食済ませる間に他のオブゼエクトは引っ込めておく必要がある。それが不可能とすれば、一度に全部食べられ、餌盗りにも遭いかねない。タイマーをＯＦＦにすることで、マグネットの吸着力が引っ込めに働くが、その力は空気抵抗にて、Ｐ力よりはかなり低下する。ガウス数２６００Ｇ＝吸着力２０Ｋｇを用いた実験の結果では、ショット先が餌箱表面（図９の７０）から３０ｍｍを超えていると、吸引力の低下は顕著となっている。オブジェクトにフットワークさせる適度な距離は、Ｆのサイズによって異なるが、吸引力を補う必要があるケースでは、簡単な手段として、Ｐの装置を少し上向きに取り付け、更に滑り落ちる力を増すため、射出停止用球（図１０の６９）の重量を増しておく方法がある。【００２１】  （下りスロープ式簡易システム）  図１３
餌盗りの心配のない家庭では、図１３のシステムで十分である。また、ペットが複数の家庭向けには、その分だけ器を大きくすることでも対応可能だ。尚、延長コード処理システムなど不要なことから、連結も容易である。
【手続補正２】
【補正対象書類名】特許請求の範囲
【補正対象項目名】全文
【補正方法】変更
【補正の内容】
【特許請求の範囲】
【請求項１】
給餌を２回に分けて自動で行い、２食を同時に食せないようにするとともに、他の動物が餌盗りするのを防止する２食給餌システムであって、
給餌器と、上記給餌器に収納される引出し式餌箱と、ペットに装着される強磁性体のペンダントＱ、延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへ同時通電させることによって、上記扉３が上記同極反発で開いた瞬間には、
上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記１食目餌入れ１０に盛られた餌を食できるとともに、
２食を同時に食せないよう、上記タイマーは、上記引出し式餌箱前面の電磁石室に装着され、
Ｎ極側を上記引出し式餌箱真正面中央に取り付けた電磁石Ａ１、及び、Ｓ極側を上記侵入口つき引き戸４２の侵入口に位置する、上記電磁石室天井面に取り付けた電磁石Ａ２への通電を、
１秒でＯＦＦになるようセットされて、２食目が入る引出し式餌箱の引き出しは不可能とし、
２食目の給餌時間となり、タイマーがＯＮになると、２食目用の上記引出し式餌箱にセットされた、上記電磁石Ａ１Ａ２と臭い送風機１１の両方に通電し、
上記引出し式餌箱の餌入れ１０−２に用意された２食目の餌の臭気で、
ペットを上記引き戸４２の侵入口の中へ誘い込み、頭部から首部を侵入させた所で、上記電磁石Ａ１Ａ２の磁気がペンダントＱを吸引吸着することによって、
ペットが、上記引出し式餌箱の餌入れ１０−２を引き出せるようにしていることを特徴とする２食給餌システム。
【請求項２】
給餌を３回以上に分けて自動的に行ない、３食以上を同時に食せないようにするとともに、ペットが餌盗りするのを防止する３食以上給餌システムであって、
３個以上の引出し式餌箱を並列に配置しており、延長コードとを備え、
給餌時間になり、タイマーがＯＮになると、通電し、上記引出し式餌箱の前面
に設けられたオブジェクトの永久磁石ｄと、上記給餌器の永久磁石Ｄとが同極反発して、上記オブジェクトが飛び出し、ペットを誘うとともに、ペット自身が引出し式餌箱を引き出せるようにしたことを特徴とする３食以上給餌システム。
【請求項３】
給餌を自動的に行なう給餌システムであって、
引き出し式餌箱と、上記引出し式餌箱の前方に下りスロープを備え、
上記引出し式餌箱は、餌箱と、餌箱を収納する本体部からなり、
給餌時間になり、タイマーがＯＮになると、通電し、上記餌箱の背面の永久磁石ｅと上記本体部の電磁石Ｅとが同極反発して、
上記餌箱が飛び出し、上記下りスロープを下って車輪ストッパーにより停止し、ペットに給餌することを特徴とする給餌システム。
【手続補正書】
【提出日】平成24年8月1日(2012.8.1)
【手続補正１】
【補正対象書類名】図面
【補正対象項目名】図１
【補正方法】変更
【補正の内容】
【図１】
2013059309.tif 000031
【手続補正２】
【補正対象書類名】図面
【補正対象項目名】図１２
【補正方法】変更
【補正の内容】
【図１２】
2013059309.tif 000032